(57)【要約】【課題】磁気カード分析機のコストダウンと小型軽量化を実現するために、電動式磁気カードリーダに代えて、安価で小型軽量な手動式磁気カードリーダを用いて磁気記録データの分析ができるようにする。【解決手段】分析対象となる磁気データが記録された磁気カード１と刻時信号が記録された磁気カード３とを重ね合わせて手動で搬送するカード搬送路６に一対の磁気ヘッド７Ｒ、７Ｌが配設された手動式磁気カードリーダ５と、カード搬送速度の速度ムラに起因する刻時信号の各パルス波形の磁束反転間隔の偏差に基づいて分析対象となる磁気データの各パルス波形の磁束反転間隔及び信号振幅を補正する制御装置８とを備えている。【選択図】図２
2018092689.tif 000002
【特許請求の範囲】
【請求項１】
磁気カードの磁気ストライプに記録された磁気データを磁気カードリーダで読み取ってそのデータの記録状態を分析する磁気カード分析機において、
磁気カードを手動で搬送するカード搬送路に、左右の磁気ストライプに記録された磁気データを同時に読み取る左右一対の磁気ヘッドが配設された手動式磁気カードリーダと、
前記左右の磁気ストライプの一方から読み取った刻時信号の各パルス波形の磁束反転間隔の基準値に対する偏差を求め、その偏差に基づいて前記左右の磁気ストライプの他方から読み取った分析対象となる磁気データの各パルス波形の磁束反転間隔及び信号振幅を補正する制御装置とを具備していることを特徴とする磁気カードデータ分析機。
【請求項２】
前記左右の磁気ストライプが、二枚重ね合わせて前記カード搬送路を手動で搬送する第１の磁気カードと第２の磁気カードに設けられた磁気ストライプである請求項１記載の磁気カードデータ分析機。
【請求項３】
前記左右の磁気ストライプが、一枚の磁気カードの片面側と他面側に設けられた磁気ストライプである請求項１記載の磁気カードデータ分析機。
【発明の詳細な説明】
【技術分野】
【０００１】
本発明は、磁気カードの磁気ストライプに記録された磁気データを磁気カードリーダで読み取ってそのデータの記録状態を分析する磁気カード分析機に関する。
【背景技術】
【０００２】
磁気カードは、銀行のキャッシュカード、信販会社のクレジットカード、各種店舗の会員カード・ポイントカード、病院の診察カード、身分証明用ＩＤカード、タイムカード等として幅広く使用されており、その磁気ストライプには、使用者の氏名、名称、登録番号、暗証番号等の重要データが周波数変調方式によって磁気記録されている。
【０００３】
磁気ストライプに記録する磁気データは、２進符号の「０」又は「１」を表すデータビットの組み合わせにより構成され、各データビットの磁束反転間隔は、ＪＩＳ規格に基づいて一定になっており、ＪＩＳ規格によれば、磁気カードリーダのカード搬送路を走行する磁気カードの搬送速度が１９cm／sec の場合、２進符号の「０」と「１」を表す各データビットの適正な磁束反転間隔は、夫々約６３７μsec と約３１８μsec に規定されている。
【０００４】
また、磁気データは、２進符号の「０」又は「１」を磁気カードリーダによって正確に読み取るために、各データビットの磁界強度が一定のレベルに達していることが必要である。
【０００５】
磁気カード分析機は、磁気カードの磁気ストライプに記録された磁気データの磁束反転間隔と磁界強度を磁気カードリーダで読み取って、その読み取った磁束反転間隔と磁界強度の値がＪＩＳ規格に適合しているか否か等を分析し、例えば、磁気データの磁界強度に関しては、その磁界強度を各データビットごとに実測し、実測した値と適正な基準値とを比較して偏差を算定し、その算定結果を、各データビットの記録位置と磁界強度を夫々Ｘ軸方向成分及びＹ軸方向成分とするＸＹ座標上に関数表示する分析方法等により磁気カードの良否を判定することとしている。
【０００６】
磁気カード分析機の磁気カードリーダで読み取る磁気データの磁束反転間隔は、磁気カードリーダのカード搬送速度の速度ムラによって変動するおそれがあるため、従前の分析機は、高性能モータによって磁気カードを一定の速度で搬送する高価な電動式磁気カードリーダが用いられており（特許文献１−４参照）、磁気カードを手動で搬送する手動式磁気カードリーダは、カード搬送速度の速度ムラを生ずるため用いられていない。
【０００７】
しかしながら、電動式磁気カードリーダは、高価な高性能モータと、該モータによって駆動されるカード自動搬送機構と、モータの駆動源となる容量の大きい電源バッテリ等を装備しているため、この電動式磁気カードリーダを設置搭載した磁気カード分析機は、高価で且つ大型で重量が嵩むものとなっていた。  
【先行技術文献】
【特許文献】
【０００８】
【特許文献１】特開２００３−２３３９０１号公報
【特許文献２】特公平６−１０５５３７号公報
【特許文献３】特公平６−１０５４９０号公報
【特許文献４】特公平６−１０５４８９号公報
【発明の概要】
【発明が解決しようとする課題】
【０００９】
本発明は、磁気カード分析機の大幅なコストダウンと小型軽量化を実現するために、電動式磁気カードリーダよりも安価で小型軽量な手動式磁気カードリーダを用いて磁気データの記録状態を分析できるようにすることを技術的課題としている。
【課題を解決するための手段】
【００１０】
上記課題を解決するために、本発明は、磁気カードの磁気ストライプに記録された磁気データを磁気カードリーダで読み取ってそのデータの記録状態を分析する磁気カード分析機において、磁気カードを手動で搬送するカード搬送路に、左右の磁気ストライプに記録された磁気データを同時に読み取る左右一対の磁気ヘッドが配設された手動式磁気カードリーダと、前記左右の磁気ストライプの一方から読み取った刻時信号の各パルス波形の磁束反転間隔の基準値に対する偏差を求め、その偏差に基づいて前記左右の磁気ストライプの他方から読み取った分析対象となる磁気データの各パルス波形の磁束反転間隔及び信号振幅を補正する制御装置とを具備していることを特徴とする。
なお、本発明における刻時信号は、同期をとるために使われる基準信号ないし時間間隔の計測や同期化に資する周期的信号を包含する概念である。
【発明の効果】
【００１１】
本発明によれば、手動式磁気カードリーダのカード搬送路に配設された左右一対の磁気ヘッドによって、前記左右の磁気ストライプに記録された磁気データを同時に読み取り、左右一方の磁気ストライプから読み取った刻時信号の各パルス波形の磁束反転間隔の基準値に対する偏差を求め、その偏差に基づいて左右他方の磁気ストライプから読み取った分析対象となる磁気データの各パルス波形の磁束反転間隔及び信号振幅を補正することにより、当該磁気データの記録状態を分析することが可能となるから、高価な電動式磁気カードリーダに代えて、安価で且つ小型軽量な手動式磁気カードリーダを使用することにより、磁気カード分析機の大幅なコストダウンと小型軽量化を実現することができる。
【図面の簡単な説明】
【００１２】
【図１】磁気ストライプに分析対象となる磁気データが記録された第１の磁気カードの表面側斜視図と、磁気ストライプに刻時信号が記録された第２の磁気カードの裏面側斜視図。
【図２】本発明の実施形態に係る磁気カード分析機の構成を示す概略図。
【図３】手動式磁気カードリーダで読み取られた刻時信号のパルス波形を例示する図。
【発明を実施するための形態】
【００１３】
本発明の実施形態に係る磁気カード分析機は、磁気ストライプ２に分析対象となる磁気データが記録された第１の磁気カード１と磁気ストライプ４に刻時信号が記録された第２の磁気カード３とを図１の如く双方の裏面側を対面させるようにして図２の如く重ね合わせて手動で搬送するカード搬送路６に、両カード１及び３の磁気ストライプ２及び４に記録された磁気データを同時に読み取る左右一対の磁気ヘッド７Ｒ、７Ｌが配設された手動式磁気カードリーダ５と、磁気カード１、３を手動で搬送することにより生ずるカード搬送速度の速度ムラに起因する磁気カード３の刻時信号の各パルス波形の磁束反転間隔の基準値に対する偏差を算出し、その偏差に基づいて磁気カード１の磁気データの各パルス波形の磁束反転間隔及び信号振幅を補正する制御装置８とを具備している。
【００１４】
制御装置８は、磁気ヘッド７Ｒによって磁気カード１の磁気ストライプ２から読み取られた磁気データと、磁気ヘッド７Ｌによって磁気カード３の磁気ストライプ４から読み取られた刻時信号とが入力されるインターフェイス９と、当該インターフェイス９に入力される磁気カード３の刻時信号の各パルス波形の磁束反転間隔の基準値に対する偏差を求め、その偏差に基づいて磁気カード１の磁気データの各パルス波形の磁束反転間隔及び信号振幅を補正する演算処理等を実行すると共に、その演算結果等のデータを記憶する演算処理・データ記憶部１０と、当該演算処理・データ記憶部１０に記憶されたデータに基づいて磁気カード１の磁気ストライプ２に記録されている磁気データの磁束反転間隔や磁界強度等の記録状態を分析・判定するＣＰＵ１１とを具備しており、ＣＰＵ１１は、ＬＣＤ等からなる表示部１２に対して磁気カード１の分析結果を出力し、その分析結果を表示させるようになっている。
【００１５】
制御装置８の演算処理・データ記憶部１０は、手動式磁気カードリーダ５の磁気ヘッド７Ｌで読み取られた磁気カード３の刻時信号のパルス波形の磁束反転間隔が基準値であったとき（図３(a)）は、そのパルス波形に対応する磁気カード１の磁気データのパルス波形の磁束反転間隔及び信号振幅を補正しない。
【００１６】
そして、磁気カード３の刻時信号のパルス波形の磁束反転間隔の偏差が、例えば基準値の２倍であったとき（図３(b)）は、そのパルス波形に対応する磁気カード１の磁気データのパルス波形の磁束反転間隔を１／２とし、信号振幅を２倍とする補正を行う。
【００１７】
また、磁気カード３の刻時信号のパルス波形の磁束反転間隔の偏差が、例えば基準値の１／２であったとき（図３(c)）は、そのパルス波形に対応する磁気カード１の磁気データのパルス波形の磁束反転間隔を２倍とし、信号振幅を１／２とする補正を行う。
【００１８】
なお、上記実施形態に係る磁気カード分析機は、手動式磁気カードリーダ５の磁気ヘッド７Ｒ、７Ｌによって、第１の磁気カード１に設けられた磁気ストライプ２に記録されている分析対象となる磁気データと、第２の磁気カード３に設けられた磁気ストライプ４に記録されている刻時信号とを読み取るようになっているが、本発明に係る磁気カード分析機は、これに限らず、一枚の磁気カードの片面側に設けられた磁気ストライプに記録されている分析対象となる磁気データと、当該磁気カードの他面側に設けられた磁気ストライプに記録されている刻時信号とを読み取るものであってもよい。
【００１９】
すなわち、例えば、わが国のクレジットカードは、一枚の磁気カードの片面側にわが国固有の磁気ストライプが設けられ、その他面側に国際規格の磁気ストライプが設けられており、国際規格の磁気ストライプには、刻時信号となる周期的信号が記録されているから、手動式磁気カードリーダで磁気カードの国際規格の磁気ストライプから読み取った刻時信号の各パルス波形の磁束反転間隔の基準値に対する偏差を求め、その偏差に基づいてわが国固有の磁気ストライプから読み取った分析対象となる磁気データの各パルス波形の磁束反転間隔及び信号振幅を補正することによって、当該磁気データの記録状態を分析することが可能となる。
【００２０】
以上の如くすれば、カード搬送速度に速度ムラを生じる手動式磁気カードリーダで読み取った磁気データであっても、その記録状態を分析することが可能となるから、高価で大型の電動式磁気カードリーダに代えて、安価で小型軽量な手動式磁気カードリーダを用いることにより、磁気カード分析機の大幅なコストダウンと小型軽量化を実現することができる。
【符号の説明】
【００２１】
１…第１の磁気カード
２…磁気ストライプ
３…第２の磁気カード
４…磁気ストライプ
５…手動式磁気カードリーダ
６…カード搬送路
７Ｒ…磁気ヘッド
７Ｌ…磁気ヘッド
８…制御装置
９…インターフェイス
１０…演算処理・データ記憶部
１１…ＣＰＵ
１２…表示部
【図１】
2018092689.tif 000003
【図２】
2018092689.tif 000004
【図３】
2018092689.tif 000005